【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
（ａ）トコジラミ誘引要素と、（ｂ）停泊部と、を備え、前記停泊部は、横断可能面とその上に設けられた１又は複数の隆起とを有する支持部材を備え、前記停泊部は装置が載置される面と面一となるように構成されているトコジラミ監視装置。
【請求項２】
前記１又は複数の隆起は１又は複数の通路を規定する請求項１に記載の装置。
【請求項３】
前記横断可能面は、少なくとも２．５ミクロンの平均表面粗さを有する請求項２に記載の装置。
【請求項４】
前記停泊部はベース部を更に備え、前記ベース部の少なくとも一部は、透明材料からなり、装置が載置される面と面一となるように構成されている請求項１に記載の装置。
【請求項５】
前記ベース部はポリカーボネートから成る請求項４に記載の装置。
【請求項６】
前記１又は複数の隆起は、２ｍｍ〜１０ｍｍ幅の通路を形成するように離隔されている請求項２に記載の装置。
【請求項７】
前記１又は複数の通路の上面は凹型横断面を有する請求項６に記載の装置。
【請求項８】
前記横断可能面の露出領域は、少なくとも３．０ミクロンの平均表面粗さを有する請求項３に記載の装置。
【請求項９】
前記支持部材は、アクリロニトリル・ブタジエン・スチレンと高耐衝撃性ポリエチレンから成る群から選択された材料から構成される請求項１に記載の装置。
【請求項１０】
前記横断可能面の露出領域の少なくとも一部には、接着剤と粒子状固体とから構成されるバインダー混合物が塗布されている請求項１に記載の装置。
【請求項１１】
前記接着剤は水性接着剤から成る請求項１０に記載の装置。
【請求項１２】
前記水性接着剤は、ポリビニルアルコール、セルロースエーテル、メチルセルロース、カルボキシメチルセルロース、及びポリビニルピロリドンから成る群から選択された材料から構成される請求項１１に記載の装置。
【請求項１３】
前記固体は粒子状物質であって、軽石、カーボランダム、カオリン、シリカ、砂、セルロース、及びタルクから成る群から選択された材料から構成される請求項１０に記載の装置。
【請求項１４】
（ａ）接着剤と粒子状固体とから構成されるバインダー混合物を適切な支持部材の面に塗布する工程と、（ｂ）前記混合物を乾燥させる工程と、を含む、少なくとも２．５ミクロンの表面粗さを有するトコジラミ用の横断可能面を提供する方法。
【請求項１５】
前記接着剤は水性接着剤から成る請求項１４に記載の方法。
【請求項１６】
前記粒子状固体は、軽石、カーボランダム、カオリン、シリカ、砂、セルロース、及びタルクから成る群から選択された材料から構成される請求項１４に記載の方法。
【請求項１７】
前記支持部材は、ポリエチレン、ポリプロピレン、及びアクリロニトリル・ブタジエン・スチレンから成る群から選択された材料から構成される請求項１４に記載の方法。
【請求項１８】
前記水性接着剤は、ポリビニルアルコール、セルロースエーテル、メチルセルロース、カルボキシメチルセルロース、及びポリビニルピロリドンから成る群から選択された材料から構成される請求項１５に記載の方法。
【請求項１９】
前記接着剤と水の総重量に対して、前記水性接着剤の量が、１％から７０％重量の間で存在する請求項１５に記載の方法。
【請求項２０】
不活性粒子状固体の平均粒径は５〜５０ミクロンの間である請求項１４に記載の方法。
【手続補正２】
【補正対象書類名】明細書
【補正対象項目名】００７５
【補正方法】変更
【補正の内容】
【００７５】
約７０度の角度で傾斜するホルダの上に、処理された試片を設置した。成虫のトコジラミＢＢ（Ｃｉｍｅｘ  ｌｅｃｔｕｌａｒｉｕｓ）を処理された面の中央に置き、約５分間、目視で観察し、虫が面の上を歩く／登るか、或いは面にしがみつけずに落ちてしまうか確認した。評価の結果を纏めたものを次に示す。
【表４】
2013536688.tif 000001
（付記）
（付記１）
（ａ）トコジラミ誘引要素と、（ｂ）停泊部と、を備え、前記停泊部は、横断可能面とその上に設けられた１又は複数の隆起とを有する支持部材を備え、前記停泊部は装置が載置される面と面一となるように構成されているトコジラミ監視装置。
（付記２）
前記１又は複数の隆起は１又は複数の通路を規定する付記１に記載の装置。
（付記３）
前記横断可能面は、少なくとも約２．５ミクロンの平均表面粗さを有する付記２に記載の装置。
（付記４）
前記停泊部はベース部を更に備え、前記ベース部の少なくとも一部は、透明材料からなり、装置が載置される面と面一となるように構成されている付記１に記載の装置。
（付記５）
（ａ）トコジラミ誘引要素と、（ｂ）停泊部と、を備え、前記停泊部は、（ｉ）装置が載置される面と面一となるように構成されたベース部と、（ｉｉ）１又は複数の隆起が垂れ下がるように設けられた横断可能面を有する支持部材と、を備え、前記停泊部は、装置に誘引されたトコジラミが通れる少なくとも１の入り口を規定するトコジラミ監視装置。
（付記６）
前記１又は複数の隆起は１又は複数の通路を規定し、これらは前記少なくとも１の入り口を通って装置内に侵入するトコジラミが前記１又は複数の通路に侵入できるように配置された付記５に記載の装置。
（付記７）
前記横断可能面の少なくとも一部は少なくとも約２．５ミクロンの平均表面粗さを有する露出領域である付記６に記載の装置。
（付記８）
前記ベース部は透明材料である付記５に記載の装置。
（付記９）
前記ベース部はポリカーボネートから成る付記８に記載の装置。
（付記１０）
前記１又は複数の隆起は、約２ｍｍ〜約１０ｍｍ幅の通路を形成するように離隔されている付記６に記載の装置。
（付記１１）
前記１又は複数の通路の上面は凹型横断面を有する付記６に記載の装置。
（付記１２）
前記横断可能面の前記露出領域は、少なくとも約３．０ミクロンの平均表面粗さを有する付記７に記載の装置。
（付記１３）
横断可能面を有する前記支持部材は、アクリロニトリル・ブタジエン・スチレンと高耐衝撃性ポリエチレンから成る群から選択された材料から構成される付記５に記載の装置。
（付記１４）
前記横断可能面の前記露出領域の少なくとも一部には、接着剤と粒子状固体から構成されるバインダー混合物が塗布されている付記７に記載の装置。
（付記１５）
前記接着剤は水性接着剤から成る付記１４に記載の装置。
（付記１６）
前記水性接着剤は、ポリビニルアルコール、セルロースエーテル、メチルセルロース、カルボキシメチルセルロース、及びポリビニルピロリドンから成る群から選択された材料から構成される付記１５に記載の装置。
（付記１７）
前記固体は粒子状物質であって、軽石、カーボランダム、カオリン、シリカ、砂、セルロース、及びタルクから成る群から選択された材料から構成される付記１５に記載の装置。
（付記１８）
横断可能面を有する前記支持部材は、アクリロニトリル・ブタジエン・スチレンから成り、前記ベース部はポリカーボネートから構成され、前記横断可能面の前記露出領域の少なくとも一部には、接着剤と粒子状固体とから構成されるバインダー混合物が塗布されている付記７に記載の装置。
（付記１９）
前記接着剤は水性接着剤から成る付記１８に記載の装置。
（付記２０）
（ａ）接着剤と固体とから構成されるバインダー混合物を適切な支持部材の面に塗布する工程と、（ｂ）前記混合物を乾燥させる工程と、を含むトコジラミ用の横断可能面を提供する方法。
（付記２１）
前記接着剤は水性接着剤から成る付記２０に記載の方法。
（付記２２）
前記混合物が乾燥すると、前記支持部材に少なくとも約２．５ミクロンの表面粗さを形成する付記２０に記載の方法。
（付記２３）
前記固体は粒子状固体である付記２３に記載の方法。
（付記２４）
前記粒子状固体は、軽石、カーボランダム、カオリン、シリカ、砂、セルロース、及びタルクから成る群から選択された材料から構成される付記２３に記載の方法。
（付記２５）
前記支持部材は、ポリエチレン、ポリプロピレン、及びアクリロニトリル・ブタジエン・スチレンから成る群から選択された材料から構成される付記２０に記載の方法。
（付記２６）
前記接着剤は水性接着剤から成る付記２０に記載の方法。
（付記２７）
前記水性接着剤は、ポリビニルアルコール、セルロースエーテル、メチルセルロース、カルボキシメチルセルロース、及びポリビニルピロリドンから成る群から選択された材料から構成される付記２６に記載の方法。
（付記２８）
前記接着剤と水の総重量に対して、前記水性接着剤の量が、約１％から約７０％重量の間で存在する付記２６に記載の方法。
（付記２９）
前記接着剤／水混合物の容積に対して、前記粒子状固体は約１％〜約３０％ｗ／ｖの間の量で存在する付記２３に記載の方法。
（付記３０）
不活性粒子状固体の平均粒径は約５〜約５０ミクロンの間である付記２３に記載の方法。
（付記３１）
横断可能面を有する停泊部を備え、前記横断可能面が接着剤と粒子状固体のバインダー混合物が塗布された支持部材を備えるトコジラミ監視装置。
（付記３２）
前記横断可能面は少なくとも約２．５ミクロンの表面粗さを有する付記３１に記載の装置。
（付記３３）
前記接着剤は水性接着剤から成る付記３１に記載の装置。
（付記３４）
前記粒子状固体は、軽石、カーボランダム、カオリン、シリカ、砂、セルロース、及びタルクから成る群から選択された材料から構成される付記３２に記載の装置。
（付記３５）
前記粒子状固体はカオリンから成り、前記接着剤は水性接着剤から成る付記３３に記載の装置。
（付記３６）
前記横断可能面は１又は複数の隆起を備える付記３１に記載の装置。
（付記３７）
前記１又は複数の隆起は１又は複数の通路を規定する付記３６に記載の装置。